【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１のデバイスからページングメッセージを受信するように構成される第１の受信機と、前記ページングメッセージは、ヌルデータパケット（ＮＤＰ）フォーマットで構成され、ページング識別子（Ｐ−ＩＤ）フィールドと方向識別子（ＤＩ）フィールドとを備え、前記Ｐ−ＩＤフィールドは、前記第１のデバイスの識別子を示し、前記ＤＩフィールドは、前記第１のデバイスがアクセスポイントデバイスであるか非アクセスポイントデバイスであるかを示す、
前記ページングメッセージを復号するように構成されるプロセッサと、
前記ページングメッセージに基づいてビーコン信号を受信するように構成される第２の受信機と
を備え、前記プロセッサは、前記ページングメッセージに基づくトリガ信号を介して前記第２の受信機をアウェイク状態に移行するように構成され、前記第２の受信機は、前記アウェイク状態への前記移行後に前記ビーコン信号を受信するようにさらに構成され、前記第１の受信機は、アウェイク状態であるとき、アウェイク状態であるときの前記第２の受信機よりも少ない電力を消費するようにさらに構成される、
装置。
【請求項２】
前記ページングメッセージは、周期的間隔で受信される、
請求項１に記載の装置。
【請求項３】
前記ページングメッセージは、ビーコン信号より少ないビットを有する、
請求項１に記載の装置。
【請求項４】
前記ページングメッセージは、前記ＤＩフィールドの値に基づいて、アクセスポイント方向情報（ＡＰＤＩ）フィールドまたは部分的関連識別子（ＰＡＩＤ）フィールドを示す第３のフィールドをさらに備える、
請求項１に記載の装置。
【請求項５】
前記ＡＰＤＩフィールドは、前記第１のデバイスの部分的時間同期機能（ＰＴＳＦ）を示すＰＴＳＦフィールドを備える、
請求項４に記載の装置。
【請求項６】
前記第１の受信機は、前記ページングメッセージに基づいてビーコン信号を受信するようにさらに構成される、
請求項１に記載の装置。
【請求項７】
前記ページングメッセージが受信されたという確認応答を送るように構成される送信機をさらに備える、
請求項１に記載の装置。
【請求項８】
送信機がアウェイクであり、ダウンリンクデータについてポーリングすることを前記第１のデバイスに通知するために、省電力ポール（ＰＳ−Ｐｏｌｌ）フレームを送るように構成される送信機をさらに備える、
請求項１に記載の装置。
【請求項９】
前記プロセッサは、指定された時間に前記第２の受信機を前記アウェイク状態に移行するようにさらに構成される、
請求項１に記載の装置。
【請求項１０】
前記指定された時間は、通常のビーコンを受信する次のターゲットビーコン移行時間に対応する、
請求項９に記載の装置。
【請求項１１】
前記プロセッサは、前記第１の受信機を一時休止状態に移行するようにさらに構成される、
請求項１に記載の装置。
【請求項１２】
前記第２の受信機は、一時休止状態に移行するようにさらに構成される、
請求項１に記載の装置。
【請求項１３】
前記装置が前記ページングメッセージを受信したいことを示す要求を送信するように構成される送信機をさらに備える、
請求項１に記載の装置。
【請求項１４】
前記要求は、ターゲットウェイク時間（ＴＷＴ）ＩＥ（情報要素）を備える、
請求項１３に記載の装置。
【請求項１５】
前記ＴＷＴ ＩＥは、通知期間（ＮＰ）フィールドを備える、
請求項１４に記載の装置。
【請求項１６】
前記ＮＰフィールドは、ページング識別を示すページング識別子（Ｐ−ＩＤ）フィールドを備える、
請求項１５に記載の装置。
【請求項１７】
前記要求の前記Ｐ−ＩＤフィールドは、前記第１のデバイスによって割り当てられた部分的関連識別子（ＰＡＩＤ）を示す、
請求項１６に記載の装置。
【請求項１８】
前記要求の前記Ｐ−ＩＤフィールドは、部分的基本サービスセット識別子を示す、
請求項１６に記載の装置。
【請求項１９】
前記ページングメッセージは、メッセージング命令を含む、
請求項１に記載の装置。
【請求項２０】
前記第２の受信機は、前記第１および第２の受信機がアクティブ状態であるときに前記第１の受信機より多くの電力を消費し、前記より多くの電力は、約５倍（５Ｘ）より多くの電力、１０倍（１０Ｘ）より多くの電力、２０倍（２０Ｘ）より多くの電力、５０倍（５０Ｘ）より多くの電力、１００倍（１００Ｘ）より多くの電力または２００倍（２００Ｘ）より多くの電力である、
請求項１に記載の装置。
【請求項２１】
前記ページングメッセージは、関連ＩＤ、グループＩＤ、およびバッファされたユニットインジケーションのうちの１つまたは複数を備える、
請求項１に記載の装置。
【請求項２２】
前記ビーコン信号は、前記装置がページングメッセージを受信することになることを示す情報を備える、
請求項１に記載の装置。
【請求項２３】
前記ビーコン信号は、前記装置がページングメッセージを受信することになることを示す情報を備える、
請求項１に記載の装置。
【請求項２４】
ＮＤＰページング時間間隔をセットアップするためにターゲットウェイク時間（ＴＷＴ）ＩＥ（情報要素）を送るように構成される送信機をさらに備える、
請求項１に記載の装置。
【請求項２５】
前記ＴＷＴ ＩＥは、前記情報要素のための識別を示す情報要素識別子（ＩＥＩＤ）フィールド、要求タイプを示す要求タイプ（ＲＴ）フィールド、ターゲットウェイク時間を示すＴＷＴフィールド、最少ウェイク継続時間を示す最少ウェイク継続時間（ＭＷＤ）フィールド、および示された継続時間の間に要求されるウェイク間隔のためのウェイク間隔仮数を示すウェイク間隔仮数（ＷｉＭ）フィールドのうちの少なくとも１つを備える、
請求項２４に記載の装置。
【請求項２６】
前記ＴＷＴ ＩＥは、通知期間（ＮＰ）フィールドを備える、
請求項２４に記載の装置。
【請求項２７】
前記ＴＷＴ ＩＥは、長さフィールドが特定の値に設定される場合、前記ＮＰフィールドの存在を示す前記長さフィールドを備える、
請求項２６に記載の装置。
【請求項２８】
前記ＮＰフィールドは、ページング識別を示すページング識別子（Ｐ−ＩＤ）フィールドを備える、
請求項２６に記載の装置。
【請求項２９】
前記ＮＰフィールドは、部分的な時間同期機能（ＴＳＦ）オフセット（ＰＴＳＦＯ）を示す部分的なＴＳＦオフセットフィールドを備える、
請求項２６に記載の装置。
【請求項３０】
前記ＮＰフィールドは、前記装置のアクションを定義するアクションフィールドを備える、
請求項２６に記載の装置。
【請求項３１】
前記アクションフィールドによって定義された前記アクションは、前記送信機が省電力ポール（ＰＳ−Ｐｏｌｌ）を送るためのものである、
請求項３０に記載の装置。
【請求項３２】
前記アクションフィールドによって定義された前記アクションは、前記装置がパケット受信を待つためのものである、
請求項３０に記載の装置。
【請求項３３】
前記アクションフィールドによって定義された前記アクションは、前記装置がウェイクアップし、前記ビーコン信号を受信するために待機するためのものである、
請求項３０に記載の装置。
【請求項３４】
前記アクションフィールドによって定義された前記アクションは、前記装置がウェイクアップし、配信トラフィックインジケーションメッセージビーコンを受信するためのものである、
請求項３０に記載の装置。
【請求項３５】
前記ＮＰフィールドは、前記装置がパケットの他のタイプを受信することが可能であるオフセット時間を示すフィールドを備える、
請求項２６に記載の装置。
【請求項３６】
オフセットは、短いフレーム間スペース（ＳＩＦＳ）のユニットとして計算される、
請求項２６に記載の装置。
【請求項３７】
前記ＮＰフィールドは、予約ビットを備え、前記予約ビットは、前記ＮＰフィールドにおける１５ビットである、
請求項３６に記載の装置。
【請求項３８】
ワイヤレス通信のための装置であって、
第１のデバイスからページングメッセージを受信するための第１の手段と、前記ページングメッセージは、ヌルデータパケット（ＮＤＰ）フォーマットで構成され、ページング識別子（Ｐ−ＩＤ）フィールドと方向識別子（ＤＩ）フィールドとを備え、前記Ｐ−ＩＤフィールドは、前記第１のデバイスの識別子を示し、前記ＤＩフィールドは、前記第１のデバイスがアクセスポイントデバイスであるか非アクセスポイントデバイスであるかを示す、
前記ページングメッセージを復号するための手段と、
前記ページングメッセージに基づいてビーコン信号を受信するための第２の手段と、
前記ページングメッセージに基づいて前記第２の受信手段をアウェイク状態に移行するための手段と、
を備え、前記受信するための第２の手段は、前記アウェイク状態への前記移行後に前記ビーコン信号を受信するための手段を備え、前記受信するための第１の手段は、アウェイク状態であるとき、アウェイク状態であるときの前記第２の受信手段よりも少ない電力を消費する、
装置。
【請求項３９】
前記ページングメッセージは、周期的間隔で受信される、
請求項３８に記載の装置。
【請求項４０】
前記ページングメッセージは、ビーコン信号より小さい、
請求項３８に記載の装置。
【請求項４１】
前記ページングメッセージは、前記ＤＩフィールドの値に基づいて、アクセスポイント方向情報（ＡＰＤＩ）フィールドまたは部分的関連識別子（ＰＡＩＤ）フィールドを示す第３のフィールドをさらに備える、
請求項３８に記載の装置。
【請求項４２】
前記ＡＰＤＩフィールドは、前記第１のデバイスの部分的時間同期機能（ＰＴＳＦ）を示すＰＴＳＦフィールドを備える、
請求項４１に記載の装置。
【請求項４３】
前記受信するための第１の手段は、第１の受信機を備え、前記受信するための第２の手段は、第２の受信機を備える、
請求項３８に記載の装置。
【請求項４４】
前記ページングメッセージが受信されたとの肯定応答を前記第１のデバイスに送るための手段をさらに備える、
請求項３８に記載の装置。
【請求項４５】
前記移行するための手段は、指定された時間に前記第２の受信手段をアウェイク状態に移行するための手段を備える、
請求項３８に記載の装置。
【請求項４６】
前記指定された時間は、前記ビーコン信号を受信する次のターゲットビーコン移行時間に対応する、
請求項４５に記載の装置。
【請求項４７】
一時休止状態に前記第２の受信手段を移行するための手段をさらに備える、
請求項３８に記載の装置。
【請求項４８】
前記第２の受信機は、一時休止状態に移行する、
請求項４３に記載の装置。
【請求項４９】
前記装置が前記ページングメッセージを受信したいことを示す要求を送信するための手段をさらに備える、
請求項３８に記載の装置。
【請求項５０】
前記要求は、ターゲットウェイク時間（ＴＷＴ）ＩＥ（情報要素）を備える、
請求項４９に記載の装置。
【請求項５１】
前記ＴＷＴ ＩＥは、通知期間（ＮＰ）フィールドを備える、
請求項５０に記載の装置。
【請求項５２】
前記ＮＰフィールドは、ページング識別を示すページング識別子（Ｐ−ＩＤ）フィールドを備える、
請求項５１に記載の装置。
【請求項５３】
前記要求の前記Ｐ−ＩＤフィールドは、前記第１のデバイスによって割り当てられた部分的関連識別子（ＰＡＩＤ）を示す、
請求項５２に記載の装置。
【請求項５４】
前記要求の前記Ｐ−ＩＤフィールドは、部分的基本サービスセット識別子を示す、
請求項５２に記載の装置。
【請求項５５】
前記ページングメッセージは、同期情報を含む、
請求項３８に記載の装置。
【請求項５６】
前記ページングメッセージは、通信媒体状態情報を含む、
請求項３８に記載の装置。
【請求項５７】
前記ページングメッセージは、メッセージング命令を含む、
請求項３８に記載の装置。
【請求項５８】
前記第２の受信機は、前記第１および第２の受信機がアクティブ状態であるときに前記第１の受信機より約５倍（５Ｘ）より多くの電力、前記第１および第２の受信機がアクティブ状態であるときに前記第１の受信機より約１０倍（１０Ｘ）より多くの電力、前記第１および第２の受信機がアクティブ状態であるときに前記第１の受信機より約２０倍（２０Ｘ）より多くの電力、前記第１および第２の受信機がアクティブ状態であるときに前記第１の受信機より約５０倍（５０Ｘ）より多くの電力、前記第１および第２の受信機がアクティブ状態であるときに前記第１の受信機より約１００倍（１００Ｘ）より多くの電力、および前記第１および第２の受信機がアクティブ状態であるときに前記第１の受信機より約２００倍（２００Ｘ）より多くの電力のうちの少なくとも１つより多く消費する、
請求項４３に記載の装置。
【請求項５９】
前記ページングメッセージは、関連ＩＤ、グループＩＤ、およびバッファされたユニットインジケーションのうちの１つまたは複数を備える、
請求項３８に記載の装置。
【請求項６０】
前記第２の受信手段を前記移行するための手段は、指定された時間に前記第２の受信手段を前記一時休止状態に移行するための手段を備える、
請求項４７に記載の装置。
【請求項６１】
前記信号は、前記装置がページングメッセージを受信することになることを示す情報を備える、
請求項３８に記載の装置。
【請求項６２】
ワイヤレス通信のための方法であって、
第１のデバイスにおける第１の受信機を介して、第２のデバイスからページングメッセージを受信することと、前記ページングメッセージは、ヌルデータパケット（ＮＤＰ）フォーマットで構成され、ページング識別子（Ｐ−ＩＤ）フィールドと方向識別子（ＤＩ）フィールドとを備え、前記Ｐ−ＩＤフィールドは、前記第２のデバイスの識別子を示し、前記ＤＩフィールドは、前記第２のデバイスがアクセスポイントデバイスであるか非アクセスポイントデバイスであるかを示す、
前記ページングメッセージを復号することと、
前記ページングメッセージに基づいてビーコン信号を受信することと、前記ビーコン信号を受信することは、第２の受信機を介して前記ビーコン信号を受信することを備える、
前記ページングメッセージに基づいて前記第２の受信機をアウェイク状態に移行することと、
を備え、前記ビーコン信号を受信することは、前記アウェイク状態への前記移行後に前記ビーコン信号を受信することを備え、前記第１の受信機は、アウェイク状態であるとき、アウェイク状態であるときの前記第２の受信機よりも少ない電力を消費する、
方法。
【請求項６３】
前記ページングメッセージは、周期的間隔で受信される、
請求項６２に記載の方法。
【請求項６４】
前記ページングメッセージは、ビーコン信号より少ない、
請求項６２に記載の方法。
【請求項６５】
前記ページングメッセージは、前記ＤＩフィールドの値に基づいて、アクセスポイント方向情報（ＡＰＤＩ）フィールドまたは部分的関連識別子（ＰＡＩＤ）フィールドを示す第３のフィールドをさらに備える、
請求項６２に記載の方法。
【請求項６６】
前記ＡＰＤＩフィールドは、前記第２のデバイスの部分的時間同期機能（ＰＴＳＦ）を示すＰＴＳＦフィールドを備える、
請求項６５に記載の方法。
【請求項６７】
前記ページングメッセージに基づいてビーコン信号を受信することをさらに備える、
請求項６２に記載の方法。
【請求項６８】
前記ページングメッセージが受信されたという確認応答を前記第２のデバイスに送信することをさらに備える、
請求項６２に記載の方法。
【請求項６９】
前記第２の受信機を移行することは、指定された時間に前記第２の受信機をアウェイク状態に移行することを備える、
請求項６２に記載の方法。
【請求項７０】
前記指定された時間は、前記ビーコン信号を受信する次のターゲットビーコン移行時間に対応する、
請求項６９に記載の方法。
【請求項７１】
指定された時間に一時休止状態に前記第２の受信機を移行することをさらに備える、
請求項６２に記載の方法。
【請求項７２】
前記第１のデバイスが前記ページングメッセージを受信したいことを示す要求を送信することをさらに備える、
請求項６２に記載の方法。
【請求項７３】
前記要求は、ターゲットウェイク時間（ＴＷＴ）ＩＥ（情報要素）を備える、
請求項７２に記載の方法。
【請求項７４】
前記ＴＷＴ ＩＥは、通知期間（ＮＰ）フィールドを備える、
請求項７３に記載の方法。
【請求項７５】
前記ＮＰフィールドは、ページング識別を示すページング識別子（Ｐ−ＩＤ）フィールドを備える、
請求項７４に記載の方法。
【請求項７６】
前記要求の前記Ｐ−ＩＤフィールドは、前記第１のデバイスによって割り当てられた部分的関連識別子（ＰＡＩＤ）を示す、
請求項７５に記載の方法。
【請求項７７】
前記要求の前記Ｐ−ＩＤフィールドは、部分的基本サービスセット識別子を示す、
請求項７５に記載の方法。
【請求項７８】
前記ページングメッセージは、メッセージング命令を含む、
請求項６２に記載の方法。
【請求項７９】
前記第２の受信機は、前記第１および第２の受信機がアクティブ状態であるときに前記第１の受信機より約５倍（５Ｘ）より多くの電力、前記第１および第２の受信機がアクティブ状態であるときに前記第１の受信機より約１０倍（１０Ｘ）より多くの電力、前記第１および第２の受信機がアクティブ状態であるときに前記第１の受信機より約２０倍（２０Ｘ）より多くの電力、前記第１および第２の受信機がアクティブ状態であるときに前記第１の受信機より約５０倍（５０Ｘ）より多くの電力、前記第１および第２の受信機がアクティブ状態であるときに前記第１の受信機より約１００倍（１００Ｘ）より多くの電力、および前記第１および第２の受信機がアクティブ状態であるときに前記第１の受信機より約２００倍（２００Ｘ）より多くの電力、のうちの少なくとも１つより多く消費する、
請求項６２に記載の方法。
【請求項８０】
前記ページングメッセージは、関連ＩＤ、グループＩＤ、およびバッファされたユニットインジケーションのうちの１つまたは複数を備える、
請求項６２に記載の方法。
【請求項８１】
前記ページングメッセージは、通信媒体状態情報を含む、
請求項６２に記載の方法。
【請求項８２】
前記ビーコン信号は、前記第１のデバイスがページングメッセージを受信することになることを示す情報を備える、
請求項６２に記載の方法。
【請求項８３】
実行されるとき、ワイヤレス通信装置に、ワイヤレス通信の方法を実行させる命令とともに符号化された非一時的コンピュータ可読媒体を備えるコンピュータプログラム製品であって、前記方法は、
第１の受信機を介して、第１のデバイスからページングメッセージを受信することと、前記ページングメッセージは、ヌルデータパケット（ＮＤＰ）フォーマットで構成され、ページング識別子（Ｐ−ＩＤ）フィールドと方向識別子（ＤＩ）フィールドとを備え、前記Ｐ−ＩＤフィールドは、前記第１のデバイスの識別子を示し、前記ＤＩフィールドは、前記第１のデバイスがアクセスポイントデバイスであるか非アクセスポイントデバイスであるかを示す、
前記ページングメッセージを復号することと、
前記ページングメッセージに基づいてビーコン信号を受信することと、前記ビーコン信号を受信することは、第２の受信機を介して前記ビーコン信号を受信することを備える、
前記ページングメッセージに基づいて前記第２の受信機をアウェイク状態に移行することと、
を備え、前記ビーコン信号を受信することは、前記アウェイク状態への前記移行後に前記ビーコン信号を受信することを備え、前記第１の受信機は、アウェイク状態であるとき、アウェイク状態であるときの前記第２の受信機よりも少ない電力を消費する、
コンピュータプログラム製品。